(57)【特許請求の範囲】
【請求項１】
構造物の表面に突設して備えた突起物を、上記構造物の表面に沿って切断するための突
起物切断装置であって、前記構造物の表面に固定可能な支持フレームに、帯鋸刃を回転自
在に備えた鋸刃ハウジングを、前記構造物の表面に沿って移動自在に備え、前記突起物の
両側方において前記帯鋸刃の胴部の内周面を案内支持する鋸刃案内部材を備え、この鋸刃
案内部材に近接した位置において前記帯鋸刃の背部を支持する背部支持部材を、前記構造
物の表面に接触して備え、前記背部支持部材は、前記構造物の表面に対して接近離反する方向へ移動自在に備えられ、かつ前記表面側へ付勢して備えられていることを特徴とする突起物切断装置。
【発明の詳細な説明】
【技術分野】
【０００１】
本発明は、大型の構造物鋼板などに溶接によって取付けられた吊りピースなどの突起物を切断するための突起物切断装置に係り、さらに詳細には、前記構造物の表面に沿って前記突起物を切断するとき、上記表面とほぼ同一面でもって突起物の切断を行うことのできる突起物切断装置に関する。
【背景技術】
【０００２】
従来、例えば造船、橋梁に使用される大型の構造物鋼板などの構造物をクレーンで吊って運搬するために、前記構造物の表面に吊りピースを溶接によって一体に取付けることが行われている。上記吊りピースは、構造物を所望の位置に搬送位置決めした後に、ガス切断などによって除去されている。吊りピースをガス切断する場合、構造物に対する熱影響が大きく、また後処理も厄介であるために、前記吊りピースを帯鋸刃によって切断することが提案されている（特許文献１、２参照）。
【先行技術文献】
【特許文献】
【０００３】
【特許文献１】実開平６−６３２２７号公報
【特許文献２】特開２００４−３４５０４４号公報
【発明の概要】
【発明が解決しようとする課題】
【０００４】
前記特許文献１に記載の構成においては、帯鋸刃によって吊りピースの切断を行うものであるから、熱影響を抑制することができるものの、前記吊りピースの切断後には、僅かな突出部が残るので、グラインダやカッターなどによって切削するという後処理を必要とするものである（[００３４]参照）。
【０００５】
前記特許文献２に記載の構成においても、帯鋸刃によって吊りピースを切断する構成であるから、熱影響が少ないものの、帯鋸刃は、鋸刃インサートの係合溝に係合して案内されるものであるから、上記鋸刃インサートにおける係合溝の一側の厚さ寸法に等しい僅かな突出部が残ることとなり、この僅かな突出部を除去するための後処理が必要であるという問題がある。
【課題を解決するための手段】
【０００６】
本発明は、前述のごとき従来の問題に鑑みてなされたもので、構造物の表面に突設して
備えた突起物を、上記構造物の表面に沿って切断するための突起物切断装置であって、前
記構造物の表面に固定可能な支持フレームに、帯鋸刃を回転自在に備えた鋸刃ハウジング
を、前記構造物の表面に沿って移動自在に備え、前記突起物の両側方において前記帯鋸刃
の胴部の内周面を案内支持する鋸刃案内部材を備え、この鋸刃案内部材に近接した位置に
おいて前記帯鋸刃の背部を支持する背部支持部材を、前記構造物の表面に接触して備え、
前記背部支持部材は、前記構造物の表面に対して接近離反する方向へ移動自在に備えられ
、かつ前記表面側へ付勢して備えられていることを特徴とするものである。
【発明の効果】
【０００８】
本発明によれば、帯鋸刃の背部を支持する背部支持部材を構造物の表面に接触して備えているもので、帯鋸刃の外周面が構造物の表面に接触した状態において吊りピース等の突起物を切断するとき、帯鋸刃が背部支持部材と構造物の表面との間に入り込むことを防止して帯鋸刃の背部を支持することができるものである。すなわち、帯鋸刃の外周面を構造物の表面に接触した状態において吊りピースを切断することができるものであり、構造物の表面とほぼ同一平面において突起物を切断することができるものである。
【図面の簡単な説明】
【０００９】
【図１】本発明の実施形態に係る突起物切断装置を概念的、概略的に示した正面説明図である。
【図２】主要部分の断面説明図である。
【図３】主要部分の他の形態を示す説明図である。
【発明を実施するための形態】
【００１０】
図１に概念的、概略的に示すように、本発明の実施形態に係る突起物切断装置１は、例えば前記特許文献１に記載の構成と同様に、例えば吊りピースなどのごとき突起物３を表面に備えた構造物５の前記表面に固定可能な支持フレーム７を備えている。この支持フレーム７は枠体構成であって前後方向（図１において紙面に垂直な方向）に長く構成してあり、この支持フレーム７における前後左右の４隅部には、例えばマグネットなどのごとき適宜の固定手段を介して構造物５の表面に固定自在な脚部９が備えられている。
【００１１】
前記支持フレーム７の上部には前後方向のガイド部材１１が備えられており、このガイド部材１１には鋸刃ハウジング１３が前後動自在に支持されている。より詳細には、前記鋸刃ハウジング１３は左右方向に長いビーム部材１５が備えられており、このビーム部材１５の左右両側にはホイールハウジング１７，１９が備えられている。上記一方のホイールハウジング１７内にはモータ（図示省略）によって回転される駆動ホイール２１が回転自在に備えられており、他方のホイールハウジング１９内には従動ホイール２３が回転自在に備えられている。そして、上記駆動ホイール２１，従動ホイール２３にはエンドレス状の帯鋸刃２５が掛回してある。
【００１２】
前記ガイド部材１１に沿って前記鋸刃ハウジング１３を前後動自在に支持するために、前記鋸刃ハウジング１３には前記ガイド部材１１に前後動自在に支持された前後スライダ２７が一体的に取付けてある。さらに、前記支持フレーム７には、前記鋸刃ハウジング１３を前後動するための前後動手段２９が備えられている。上記前後動手段２９としては、例えば油圧シリンダのごとき往復作動装置を用いて鋸刃ハウジング１３を前後動することや、前記特許文献１，２に示されているように、ボールネジ機構やラック・ピニオン機構などの適宜の構成を採用することができるものである。
【００１３】
前記帯鋸刃２５は、前記ホイールハウジング１７，１９にそれぞれ備えた鋸刃ガイド機構３１によって、前記突起物３を、前記構造物５の表面とほぼ同一面において切断するように案内されている。より詳細には、前記ホイールハウジング１７，１９に備えた前記鋸刃ガイド機構３１には、前記構造物５の表面に近接した位置において帯鋸刃２５における胴部２５Ａの内周面を案内支持する鋸刃案内部材としてのブレードガイド３３（図２参照）が備えられている。
【００１４】
換言すれば、前記ブレードガイド３３は帯鋸刃２５の胴部２５Ａの内周面のみを案内支持するものであって、胴部２５Ａの外周面は案内されることなく開放された状態にある。そして、前記帯鋸刃２５における歯部２５Ｂは前記ブレードガイド３３から突起物３の方向（前方向：図２において右方向）へ突出した状態にあり、帯鋸刃２５の背部２５Ｃは、前記ブレードガイド３３に近接した位置においてホイールハウジング１７，１９に備えた背部支持部材３５に支持されている。この背部支持部材３５は、内装した例えばコイルスプリングなどのごとき弾性部材３７によって常に突出する方向へ付勢されており、前記帯鋸刃２５によって突起物３を切断するときには、前記構造物５の表面に移動可能に接触した状態に保持されている。
【００１５】
前記ブレードガイド３３は、帯鋸刃２５によって吊りピースなどのごとき突起物３を構造物５の表面に沿って切断するとき、構造物５の表面とほぼ同一平面でもって突起物３の切断が行い得るように、前記ホイールハウジング１７，１９に予め備えられているものである。
【００１６】
以上のごとき構成において、構造物５の表面に備えられている突起物３を切断するために、前記突起物３が支持フレーム７の領域内に位置するように、構造物５の表面に前記支持フレーム７を設置する。その後、駆動ホイール２１を回転して帯鋸刃２５を回転し、かつ前後動手段２９によって鋸刃ハウジング１３を構造物５の表面に沿って前方向へ移動すると、帯鋸刃２５が突起物３を切断することになる。
【００１７】
上述のごとく、帯鋸刃２５によって突起物３を切断するとき、帯鋸刃２５は、構造物５の表面とほぼ同一平面において突起物３を切断するように、ブレードガイド３３によって帯鋸刃２５における胴部２５Ａの内周面が案内されており、かつ帯鋸刃２５の背部は、前記構造物５における表面に先端部が常に接触するように、弾性部材３７によって押圧付勢されている背部支持部材３５によって支持されているので、切断作用時の帯鋸刃２５の振動や、突起物３の周囲における構造物５の表面の凹凸によりホイールハウジング１７，１９と構造物５の表面との間の距離に変化が生じたような場合であっても、帯鋸刃２５が背部支持部材３５と構造物５の表面との間に入り込むことを防止でき、突起物３の切断を能率よく行うことができるものである。
【００１８】
既に理解されるように、突起物３を切断するとき、構造物５における表面とほぼ同一平面でもって切断することができるので、僅かな突出部を除去するための後処理が不要となり、前述したごとき従来の問題を解消し得るものである。
【００１９】
ところで、本発明は、前述のごとき実施形態に限ることなく、適宜の変更を行うことにより、その他の形態でもって実施可能である。例えば、図３に示すように、ブレードガイド３３と背部支持部材３５とを一体的に備えた支持ブロック３９を、ホイールハウジング１７，１９に上下動自在に備えると共に弾性部材３７によって上記支持ブロック３９を構造物５方向へ付勢する構成とすることも可能である。上記構成により、前述した実施形態と同様の効果を奏し得ると共に、構造物５における表面の僅かなうねり等に対する追従性が向上するものである。
【００２０】
また、図１に想像線で示すように、ビーム部材１５に、一般的な横型帯鋸盤における鋸刃ガイドアームと同様のガイドアーム４１を左右方向に位置調節可能に備え、このガイドアーム４１の下端部（先端部）に、前記鋸刃ガイド機構３１を備えた構成とすることも可能である。上記構成とすることにより、突起物３を帯鋸刃２５によって切断するとき、帯鋸刃２５が構造物５の表面に接触する長さを短くすることができる。
【００２１】
すなわち、帯鋸刃２５によって突起物３を切断するときに、構造物５の表面を損傷する面積を小さく抑制することができるものである。したがって、突起物３を切断した後の、例えば塗装などの表面処理面積が小さくなり、後処理としての表面処理が容易になるものである。
【符号の説明】
【００２２】
１    突起物切断装置
３    突起物
５    構造物
７    支持フレーム
１３    鋸刃ハウジング
１５    ビーム部材
１７，１９    ホイールハウジング
２５    帯鋸刃
２９    前後動手段
３１    鋸刃ガイド機構
３３    ブレードガイド（鋸刃案内部材）
３５    背部支持部材
３０    支持ブロック
【図１】
0005457756.tif 000002
【図２】
0005457756.tif 000003
【図３】
0005457756.tif 000004